(57)【要約】  エレベータ制御装置に大きな負荷をかけることなくエレベータの呼びを適切なかごに割り当てることができるエレベータの呼び登録システムを提供する。エレベータの呼び登録システムは、複数のエレベータに共用された行先階の情報と乗場の入口の情報とを受信した際に、当該行先階と当該乗場の入口とに基づいて複数のエレベータのかごの中から当該行先階に対応した呼びを割り当てるかごを決定するエレベータ制御装置と、行先階の情報と乗場の入口の情報とをエレベータ利用者が当該乗場の入口に到着するタイミングで携帯端末から受信し、行先階の情報と乗場の入口の情報とを前記エレベータ制御装置に送信するアクセス制御装置と、を備えた。
2017072907.tif 000002
【特許請求の範囲】
【請求項１】
複数のエレベータに共用された行先階の情報と乗場の入口の情報とを受信した際に、当該行先階と当該乗場の入口とに基づいて複数のエレベータのかごの中から当該行先階に対応した呼びを割り当てるかごを決定するエレベータ制御装置と、
行先階の情報と乗場の入口の情報とをエレベータ利用者が当該乗場の入口に到着するタイミングで携帯端末から受信し、行先階の情報と乗場の入口の情報とを前記エレベータ制御装置に送信するアクセス制御装置と、
を備えたエレベータの呼び登録システム。
【請求項２】
前記エレベータ制御装置は、当該行先階に対応した呼びを割り当てるかごの情報を前記アクセス制御装置に送信し、
前記アクセス制御装置は、当該行先階に対応した呼びを割り当てるかごの情報を前記エレベータ制御装置から受信し、当該行先階に対応した呼びを割り当てるかごの情報を前記携帯端末に送信する請求項１に記載のエレベータの呼び登録システム。
【請求項３】
前記アクセス制御装置は、乗場の入口までの移動時間の情報を前記携帯端末から受信し、当該移動時間が経過した際に行先階の情報と乗場の入口の情報とを前記エレベータ制御装置に送信する請求項１または請求項２にエレベータの呼び登録システム。
【発明の詳細な説明】
【技術分野】
【０００１】
この発明は、エレベータの呼び登録システムに関する。
【背景技術】
【０００２】
特許文献１は、エレベータの呼び登録システムを開示する。利用者が個人情報端末により行先階を入力した際、呼び登録システムは、行先階の入力が行われた位置からエレベータの乗場までの移動時間を算出する。呼び登録システムは、当該行先階に対応した呼びを割り当てるかごを決定する。
【先行技術文献】
【特許文献】
【０００３】
【特許文献１】日本特開２０１０−２１５３０２号公報
【発明の概要】
【発明が解決しようとする課題】
【０００４】
しかしながら、特許文献１に記載のものにおいてエレベータの乗場までの移動時間が長い場合、当該かごに対応したエレベータ制御装置は、行先階に対応した情報を長時間保持する。このため、エレベータ制御装置に大きな負荷がかかる。【０００５】
この発明は、上述の課題を解決するためになされた。この発明の目的は、エレベータ制御装置に大きな負荷をかけることなくエレベータの呼びを適切なかごに割り当てることができるエレベータの呼び登録システムを提供することである。
【課題を解決するための手段】
【０００６】
この発明に係るエレベータの呼び登録システムは、複数のエレベータに共用された行先階の情報と乗場の入口の情報とを受信した際に、当該行先階と当該乗場の入口とに基づいて複数のエレベータのかごの中から当該行先階に対応した呼びを割り当てるかごを決定するエレベータ制御装置と、行先階の情報と乗場の入口の情報とをエレベータ利用者が当該乗場の入口に到着するタイミングで携帯端末から受信し、行先階の情報と乗場の入口の情報とを前記エレベータ制御装置に送信するアクセス制御装置と、を備えた。
【発明の効果】
【０００７】
この発明によれば、アクセス制御装置は、携帯端末が当該乗場の入口に到着するタイミングで乗場の入口の情報と行先階の情報とをエレベータ制御装置に送信する。このため、エレベータ制御装置に大きな負荷をかけることなくエレベータの呼びを適切なかごに割り当てることができる。
【図面の簡単な説明】
【０００８】
【図１】この発明の実態の形態１におけるエレベータの呼び登録システムを示す全体構成図である。
【図２】この発明の実態の形態１におけるエレベータの呼び登録システムに利用される個人情報端末の正面図である。
【図３】この発明の実態の形態１におけるエレベータの呼び登録システムが利用されるエレベータの乗場の平面図である。
【図４】この発明の実態の形態１におけるエレベータの呼び登録システムの動作の概要を説明するための図である。
【図５】この発明の実態の形態１におけるエレベータの呼び登録システムのアクセス制御装置による処理を説明するためのフローチャートである。
【図６】この発明の実態の形態１におけるエレベータの呼び登録システムに利用されるアクセス制御装置のハードウェア構成図である。
【発明を実施するための形態】
【０００９】
この発明を実施するための形態について添付の図面に従って説明する。なお、各図中、同一又は相当する部分には同一の符号が付される。当該部分の重複説明は適宜に簡略化または省略する。
【００１０】
実施の形態１．
図１はこの発明の実態の形態１におけるエレベータの呼び登録システムを示す全体構成図である。
【００１１】
図１に示すように、エレベータの呼び登録システムは、エレベータ制御装置１とアクセス制御装置２とを備える。エレベータ制御装置１の各々は、制御対象のエレベータに対応して設けられる。アクセス制御装置２は、エレベータ制御装置１の各々に接続される。アクセス制御装置２は、呼び登録手段３を備える。
【００１２】
個人情報端末４は、呼び登録手段５を備える。呼び登録手段５は、行先階入力機能５ａと入口番号入力機能５ｂと移動時間入力機能５ｃとを備える。
【００１３】
エレベータの利用者は、携帯端末として個人情報端末４を携帯する。利用者は、個人情報端末４の呼び登録手段５を用いてエレベータの呼び登録要求を行う。アクセス制御装置２の呼び登録手段３は、個人情報端末４からのエレベータの呼び登録要求を受けて対象となるエレベータ制御装置１にエレベータの呼び登録要求を行う。
【００１４】
次に、図２を用いて、個人情報端末４による呼び登録要求の概要を説明する。
図２はこの発明の実態の形態１におけるエレベータの呼び登録システムに利用される個人情報端末の正面図である。
【００１５】
図２に示すように、個人情報端末４は、エレベータ呼び登録画面６を表示する。例えば、エレベータ呼び登録画面６は、タッチパネルに表示される。エレベータ呼び登録画面６は、第１表示部６ａと第２表示部６ｂと第３表示部６ｃと第４表示部６ｄとを備える。第１表示部６ａと第２表示部６ｂと第３表示部６ｃと第４表示部６ｄとは、エレベータ呼び登録画面６の上部から下部に向けて順々に表示される。
【００１６】
第１表示部６ａは、行先階入力機能５ａに対応した表示部である。第２表示部６ｂは、入口番号入力機能５ｂに対応した表示部である。第３表示部６ｃは、移動時間入力機能５ｃに対応した表示部である。第４表示部６ｄは、「呼び登録」を表示する。
【００１７】
利用者は、第１表示部６ａの四角の内部に行先階に対応した階数を入力する。その後、利用者は、第２表示部６ｂの四角の内部にエレベータの乗場の入口番号に対応した数字を入力する。その後、利用者は、第３表示部６ｃの四角の内部にエレベータの乗場の入口までの移動時間に対応した秒数を入力する。その後、利用者は、第４表示部６ｄに触れる。その結果、エレベータの呼び登録要求が完了する。
【００１８】
次に、図３を用いて、個人情報端末４による呼び登録要求の詳細を説明する。
図３はこの発明の実態の形態１におけるエレベータの呼び登録システムが利用されるエレベータの乗場の平面図である。
【００１９】
図３において、第１バンク７ａは、２階から１０階までを行先階とする複数のエレベータの集まりである。第２バンク７ｂは、１１階から２０階までを行先階とする複数のエレベータの集まりである。
【００２０】
例えば、乗場は、第１バンク７ａのエレベータと第２バンク７ｂのエレベータとに共用される。乗場は、複数の入口を備える。例えば、乗場は、第１入口８ａと第２入口８ｂとを備える。第１入口８ａは、乗場において第１バンク７ａの側に設けられる。第２入口８ｂは、乗場において第２バンク７ｂの側に設けられる。
【００２１】
利用者は、通過する予定の入口の番号に対応した数字を個人情報端末４に入力すればよい。利用者は、通過する予定の入口までの移動時間に対応した数字を個人情報端末４にすればよい。
【００２２】
図３において、利用者は、第１入口８ａの側からエレベータの乗場に近づく。この場合、利用者は、第１入口８ａに対応した「１」を個人情報端末４に入力すればよい。利用者は、３０秒程で第１入口８ａに到着する。この場合、利用者は、３０秒に対応した「３０」を個人情報端末４に入力すればよい。
【００２３】
次に、図４を用いて、エレベータの呼び登録システムの動作の概要を説明する。
図４はこの発明の実態の形態１におけるエレベータの呼び登録システムの動作の概要を説明するための図である。
【００２４】
図４において、Ｆ１において、個人情報端末４は、利用者による行先階の入力を受け付ける。その後、Ｆ２において、個人情報端末４は、利用者による乗場の入口の番号の入力を受け付ける。その後、Ｆ３において、個人情報端末４は、利用者による乗場の入口までの移動時間の入力を受け付ける。その後、Ｆ４において、個人情報端末４は、利用者による呼び登録の完了の操作を受け付ける。
【００２５】
その後、Ｆ５において、個人情報端末４は、利用者により入力された移動時間の経過を把握する。その後、Ｆ６において、個人情報端末４は、行先階の情報と乗場の入口の番号の情報とを呼び登録情報として送信する。
【００２６】
Ｆ７において、アクセス制御装置２は、個人情報端末４から呼び登録情報を受信する。その後、Ｆ８において、アクセス制御装置２は、呼び登録情報から得られる行先階に対応するエレベータ制御装置１を決定する。その後、Ｆ９において、アクセス制御装置２は、対応するエレベータ制御装置１に呼び登録情報を送信する。例えば、行先階が８階の場合は、アクセス制御装置２は、２階から１０階までを行先階とする第１バンク７ａのエレベータを制御するエレベータ制御装置１に呼び登録情報を送信する。
【００２７】
Ｆ１０において、当該エレベータ制御装置１は、アクセス制御装置２から呼び登録情報を受信する。その後、Ｆ１１において、当該エレベータ制御装置１は、呼び登録情報に基づいて複数のエレベータのかごの中から呼び登録情報から得られる行先階に対応した呼びを割り当てるかごを決定する。具体的には、当該エレベータ制御装置１は、呼び登録情報から得られる乗場の入口からバンクまでの距離に応じて当該行先階に対応した呼びを割り当てるかごを決定する。その後、Ｆ１２において、当該エレベータ制御装置１は、当該呼びを割り当てるかごの情報をアクセス制御装置２に送信する。
【００２８】
その後、Ｆ１３において、アクセス制御装置２は、当該呼びを割り当てるかごの情報をエレベータ制御装置１から受信する。その後、Ｆ１４において、アクセス制御装置２は、当該呼びを割り当てるかごの情報を個人情報端末４に送信する。
【００２９】
その後、Ｆ１５において、個人情報端末４は、当該呼びを割り当てるかごの情報を受信する。その後、Ｆ１６において、個人情報端末４は、当該呼びを割り当てるかごの情報を利用者に報知する。例えば、個人情報端末４は、当該呼びを割り当てるかごの番号を表示することにより当該かごの情報を利用者に報知する。
【００３０】
次に、図５を用いて、アクセス制御装置２による処理を説明する。
図５はこの発明の実態の形態１におけるエレベータの呼び登録システムのアクセス制御装置による処理を説明するためのフローチャートである。
【００３１】
ステップＳ１では、アクセス制御装置２は、呼び登録情報を受信したか否かの判定処理を行う。ステップＳ１でアクセス制御装置２が呼び登録情報を受信していない場合は、ステップＳ１が繰り返される。ステップＳ１でアクセス制御装置２が呼び登録情報を受信した場合は、ステップＳ２に進む。
【００３２】
ステップＳ２では、アクセス制御装置２は、呼び登録情報から得られる行先階に対応するエレベータ制御装置１の決定処理を行う。その後、ステップＳ３に進む。ステップＳ３では、アクセス制御装置２は、対応するエレベータ制御装置１に呼び登録情報を送信する処理を行う。その後、ステップＳ４に進む。
【００３３】
ステップＳ４では、アクセス制御装置２は、当該行先階に対応した呼びを割り当てるかごの情報をエレベータ制御装置１から受信したか否かの判定処理を行う。ステップＳ４で当該行先階に対応した呼びを割り当てるかごの情報を受信していない場合は、ステップ４が繰り返される。ステップＳ４で当該行先階に対応した呼びを割り当てるかごの情報を受信した場合は、ステップＳ５に進む。
【００３４】
ステップＳ５において、アクセス制御装置２は、当該かごの情報を個人情報端末４に送信する処理を行う。
【００３５】
以上で説明した実施の形態１によれば、アクセス制御装置２は、個人情報端末４が乗場の入口に到着するタイミングで行先階の情報と乗場の入口の情報とをエレベータ制御装置１に送信する。このため、エレベータ制御装置１に大きな負荷をかけることなくエレベータの呼びを適切なかごに割り当てることができる。例えば、複数のバンクのエレベータが設けられる建築物においても、エレベータ制御装置１に大きな負荷をかけることなくエレベータの呼びを適切なかごに割り当てることができる。
【００３６】
また、アクセス制御装置２は、行先階に対応した呼びを割り当てるかごの情報を個人情報端末４に送信する。個人情報端末４は、行先階に対応した呼びを割り当てるかごの情報を報知する。このため、利用者を適切なかごに誘導することができる。
【００３７】
また、アクセス制御装置２は、乗場の入口までの移動時間の情報を個人情報端末４から受信する。アクセス制御装置２は、当該移動時間が経過した際に行先階の情報と乗場の入口の情報とをエレベータ制御装置１に送信する。このため、利用者は任意の場所から任意の移動時間を考慮してエレベータの呼びを登録することができる。
【００３８】
次に、図６を用いて、アクセス制御装置２の例を説明する。
図６はこの発明の実態の形態１におけるエレベータの呼び登録システムに利用されるアクセス制御装置のハードウェア構成図である。
【００３９】
アクセス制御装置２の各機能は、処理回路により実現し得る。例えば、処理回路は、少なくとも１つのプロセッサ９ａと少なくとも１つのメモリ９ｂとを備える。例えば、処理回路は、少なくとも１つの専用のハードウェア１０を備える。
【００４０】
処理回路が少なくとも１つのプロセッサ９ａと少なくとも１つのメモリ９ｂとを備える場合、アクセス制御装置２の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ９ｂに格納される。少なくとも１つのプロセッサ９ａは、少なくとも１つのメモリ９ｂに記憶されたプログラムを読み出して実行することにより、アクセス制御装置２の各機能を実現する。少なくとも１つのプロセッサ９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００４１】
処理回路が少なくとも１つの専用のハードウェア１０を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、アクセス制御装置２の各機能は、それぞれ処理回路で実現される。例えば、アクセス制御装置２の各機能は、まとめて処理回路で実現される。
【００４２】
アクセス制御装置２の各機能について、一部を専用のハードウェア１０で実現し、他部をソフトウェア又はファームウェアで実現してもよい。例えば、呼び登録手段３の機能については専用のハードウェア１０としての処理回路で実現し、呼び登録手段３以外の機能については少なくとも１つのプロセッサ９ａが少なくとも１つのメモリ９ｂに格納されたプログラムを読み出して実行することによって実現してもよい。
【００４３】
このように、処理回路は、ハードウェア１０、ソフトウェア、ファームウェア、又はこれらの組み合わせによって、アクセス制御装置２の各機能を実現する。
【００４４】
なお、エレベータ制御装置１の各機能も、アクセス制御装置２の各機能を実現する処理回路と同様の処理回路により実現し得る。
【産業上の利用可能性】
【００４５】
以上のように、この発明に係るエレベータの呼び登録システムは、エレベータ制御装置に大きな負荷をかけることなくエレベータの呼びを登録するシステムに利用できる。
【符号の説明】
【００４６】
１  エレベータ制御装置、  ２  アクセス制御装置、  ３  呼び登録手段、  ４  個人情報端末、  ５  呼び登録手段、  ５ａ  行先階入力機能、  ５ｂ  入口番号入力機能、  ５ｃ  移動時間入力機能、  ６  エレベータ呼び登録画面、  ６ａ  第１表示部、  ６ｂ  第２表示部、  ６ｃ  第３表示部、  ６ｄ  第４表示部、  ７ａ  第１バンク、  ７ｂ  第２バンク、  ８ａ  第１入口、  ８ｂ  第２入口、  ９ａ  プロセッサ、  ９ｂ  メモリ、  １０  ハードウェア
【図１】
2017072907.tif 000003
【図２】
2017072907.tif 000004
【図３】
2017072907.tif 000005
【図４】
2017072907.tif 000006
【図５】
2017072907.tif 000007
【図６】
2017072907.tif 000008
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
複数のエレベータに共用された行先階の情報と乗場の入口の情報とを受信した際に、当該行先階と当該乗場の入口とに基づいて複数のエレベータのかごの中から当該行先階に対応した呼びを割り当てるかごを決定するエレベータ制御装置と、
行先階の情報と乗場の入口の情報とをエレベータ利用者が当該乗場の入口に到着するタイミングで携帯端末から受信し、行先階の情報と乗場の入口の情報とを前記エレベータ制御装置に送信するアクセス制御装置と、
を備え、
前記アクセス制御装置は、前記携帯端末に入力された移動時間が経過した際に前記携帯端末が送信した行先階の情報と乗場の入口の情報とを受信するエレベータの呼び登録システム。
【請求項２】
前記エレベータ制御装置は、当該行先階に対応した呼びを割り当てるかごの情報を前記アクセス制御装置に送信し、
前記アクセス制御装置は、当該行先階に対応した呼びを割り当てるかごの情報を前記エレベータ制御装置から受信し、当該行先階に対応した呼びを割り当てるかごの情報を前記携帯端末に送信する請求項１に記載のエレベータの呼び登録システム。
【手続補正２】
【補正対象書類名】明細書
【補正対象項目名】０００６
【補正方法】変更
【補正の内容】
【０００６】
この発明に係るエレベータの呼び登録システムは、複数のエレベータに共用された行先階の情報と乗場の入口の情報とを受信した際に、当該行先階と当該乗場の入口とに基づいて複数のエレベータのかごの中から当該行先階に対応した呼びを割り当てるかごを決定するエレベータ制御装置と、行先階の情報と乗場の入口の情報とをエレベータ利用者が当該乗場の入口に到着するタイミングで携帯端末から受信し、行先階の情報と乗場の入口の情報とを前記エレベータ制御装置に送信するアクセス制御装置と、を備え、前記アクセス制御装置は、前記携帯端末に入力された移動時間が経過した際に前記携帯端末が送信した行先階の情報と乗場の入口の情報とを受信する。
【国際調査報告】
2017072907.tif 000009
2017072907.tif 000010